(57)【要約】  【課題】  より効率的、且つ確実に微細気泡を発生させる。  【解決手段】  液体噴射ノズル２０の口径よりも大径であり、且つ液体噴射ノズル２０から噴射された液体４１の径よりも大径とする噴出孔１１ａが液体噴射ノズル２０の軸線と同軸線上に開孔され、当該噴出孔１１ａと同軸線上で連通する誘導管２０が突設されている。  【選択図】  図１
2007330939.tif 000002
【特許請求の範囲】
【請求項１】
気体が導入される空間を有する気体室と、当該気体室に装着され、その前方へ向けて気体室内に液体を噴射する液体噴射ノズルと、気体室内に気体を導入する気体導入管を含み、
前記気体室の前面部には、前記液体噴射ノズルから噴射された液体と気体室内の気体が通過する噴出孔が液体噴射ノズルの軸線と同軸線上に開孔されるとともに、当該噴出孔と同軸線上で連通する誘導管が突設されてなり、
前記噴出孔は、前記液体噴射ノズルの噴射口径よりも大径、且つ噴出孔を通過する液体の径よりも大径であり、前記誘導管は、前記噴出孔よりも大径であることを特徴とする微細気泡発生器。
【請求項２】
前記誘導管の内径を前記噴出孔の径の２〜３倍にしていることを特徴とする請求項１に記載の微細気泡発生器。
【請求項３】
前記誘導管の全長を当該誘導管の内径の５倍にしていることを特徴とする請求項１又は請求項２に記載の微細気泡発生器。
【発明の詳細な説明】
【技術分野】
【０００１】
本発明は、海洋養殖施設の酸素補給、深層水の浮上、大型ダムの浄化、高粘度液中への酸素補給、気泡噴射による流動体の攪拌、家畜糞尿処理の際の微生物分解作用の促進、微細気泡を利用した泡沫分離装置、特定ガスと液体の混合、オゾンガスによる海水や液体の殺菌等に用いられる微細気泡発生器に関する。
【背景技術】
【０００２】
本発明の微細気泡発生器に関連する先行技術文献情報として、例えば、下記の特許文献１が有る。
【特許文献１】特開２００１−２５２５４６号公報
【０００３】
例示した特許文献１に記載の微細気泡発生器は、気体を充満可能な空間を形成している気体室と、該気体室外で加圧された液体を該気体室内で噴射する液体噴射ノズルと、該気体室内に気体を導入すべく該気体室外と連通した気体導入管とを備えている。
又、前記液体噴射ノズルの先端よりも前方側に、前記気体室の前面部を形成する噴出孔板が設けられ、該噴出孔板には、前記液体噴射ノズルから噴射された液体が該気体室内の気体を誘引して該気体室外の液中に噴出されるように、液体噴射ノズルの噴射方向に対応させて単一の噴出孔が形成されてなるものである。
【０００４】
前記微細気泡発生器は、液体噴射ノズルから噴射された液体が気体室内に充満した気体を誘引するとともに、その誘引された気体を混合させながら高速で噴出孔を通過し、この通過時において、気体の噴出により気体室内が負圧となるため、外部の気体が気体導入管によって気体室内に吸引されることによって、よって、噴出孔からの液体及び気体の噴出と、気体導入管による気体の吸引導入とが継続的に行われるようになっている。
又、前記過程において、気体室内の気体は、液体噴射ノズルから噴射する液体に誘引されて急加速するとともに、その気体の一部は噴射された液体内に混合されて気液混合流となり、噴出孔内を高速で通過するようになっている。
したがって、噴出孔の外部を液中に臨ませれば、噴出された気体と前記液中の液粒子との衝突、及び、前記気液混合流と液粒子との衝突等が噴出孔出口近傍で発生し、これらの衝突作用によって、微細化された気泡が多量に発生するとともに、気泡の一部が液中に溶解される。
【発明の開示】
【発明が解決しようとする課題】
【０００５】
ところで、気泡を効果的に発生させるためには、液体噴射ノズルから噴射される液体が効率よく空気を気体室に誘引して当該気体室に充満させることが重要である。
前記空気を効率的に気体室に誘引して当該気体室に充満させるには、水圧による気体室への浸水を抑制する必要がある。
例えば、深い水深での使用の際には、その水深に伴って高くなる水圧により、前記気体室への浸水が生じやすいため、前記噴出孔の径を小さくして当該噴出孔径と液体噴射ノズルの口径との径差を小さくすることで、噴射される液体の外周と噴出孔縁との間の間隔を狭くして水圧による浸水を抑制している。
しかしながら、前記のように噴射孔径を小さくした場合、液体噴射ノズルから噴射される液体の径が噴出孔径以上となることがあり、仮に液体の先端側の径が噴出孔径以上であると、噴出する液体が噴出孔や噴出孔周りに接触することにより水流が乱れて気泡の発生や空気の誘引に対して影響を与えてしまい、気泡の発生が非効率的となる可能性がある。
【０００６】
このため、前記液体噴射ノズルの先端と噴出孔との距離を短くして、噴射される液体の先端側の径が噴出孔径以上となる前に、当該液体を噴出孔から噴出させることにより安定した水流を作るようにしている。
しかしながら、前記のように液体噴射ノズルの先端と噴出孔との距離を短くした場合、前記気体室内における空気の誘引時間が短くなるため、空気の誘引量が減少し、この減少に伴って気泡量が減少する可能性がある。
本出願人は、前記微細気泡発生器について、より効率的、且つ確実に微細気泡を発生させるという観点から鋭意研究を重ねた結果、本発明に至ったものである。
【０００７】
そこで本発明は、より効率的、且つ確実に微細気泡を発生させることを課題とし、この課題を解決する微細気泡発生器の提供を目的とする。
【課題を解決するための手段】
【０００８】
前記目的を達成するために、本発明が採用した技術的手段は、気体が導入される空間を有する気体室と、当該気体室に装着され、その前方へ向けて気体室内に液体を噴射する液体噴射ノズルと、気体室内に気体を導入する気体導入管を含み、前記気体室の前面部には、前記液体噴射ノズルから噴射された液体と気体室内の気体が通過する噴出孔が液体噴射ノズルの軸線と同軸線上に開孔されるとともに、当該噴出孔と同軸線上で連通する誘導管が突設されてなり、前記噴出孔は、前記液体噴射ノズルの噴射口径よりも大径、且つ噴出孔を通過する液体の径よりも大径であり、前記誘導管は、前記噴出孔よりも大径であることを特徴とする微細気泡発生器にしたことである。
【０００９】
本発明でいう液体噴射ノズルの口径よりも大径であり、且つ噴射ノズルから噴射された液体の径よりも大径とする噴出孔とは、当該噴出孔と液体噴射ノズルの先端との距離に係りなく、噴射ノズルから噴射された液体が噴出孔の縁や噴出孔周りに接触せずに噴出孔内を通過可能な径とする噴出孔である。
【００１０】
前記誘導管の内径は、前記噴出孔の径の２〜３倍であることが好ましく、又、誘導管の全長は、当該誘導管の内径の５倍であることが好ましい。
【発明の効果】
【００１１】
本発明の微細気泡発生器によれば、より効率的、且つ確実に微細気泡を発生させることができる。
【発明を実施するための最良の形態】
【００１２】
以下、本発明の微細気泡発生器を実施するための最良の形態を図面に基づいて説明する。
本形態の微細気泡発生器Ａは、気体４２を充満可能な気体室１０と、当該気体室１０内に噴射先端部を位置させている液体噴射ノズル２０と、該気体室１０内に連通した気体導入管３０とを備え、液体噴射ノズル２０が噴射する液体４１を前記気体室１０の前面部の噴出孔１１ａを通過させて外部に噴出するように構成されている。
【００１３】
気体室１０は、前後を開口した筒状本体１２と、該筒状本体１２の前方側開口部を閉鎖するように取り付けられた噴出孔板１１と、同筒状本体１２の後方側開口部を閉鎖するように取り付けられるとともに、略軸心状に液体噴射ノズル２０を固定したノズルアダプター１３とからなり、それら各部材によって周囲の壁面を構成することで内部に気体４２を充満可能な空間Ｓを形成している。
【００１４】
前記噴出孔板１１は、外周面に雄ねじ部（図示せず）を有する円盤状部材で、液体噴射ノズル２０から噴射された液体４１が気体室１０内の気体４２を誘引して気体室１０外へ通過するように、液体噴射ノズル２０の軸線と同軸とする噴出孔１１ａが形成されている。
又、噴出孔板１１の前方には、前記噴出孔１１ａと同軸とする誘導管１１ｂが突設され、噴出孔を通過する液体４１と気体４２の気体室外への噴出を誘導するようにしている。
このように構成された噴出孔板１１は、外周雄ねじ部にシール剤等の気密手段を介して筒状本体１２の前方側開口部に装着されている。
【００１５】
前記ノズルアダプター１３は、略円筒状を呈し、その内部に噴出先端部を前方に向けた液体噴射ノズル２０を軸心上に固定した状態で、筒状本体１２の後方側開口部を塞ぐようにして固定されている。
【００１６】
前記液体噴射ノズル２０における噴射口２０ａの口径と、噴出孔１１ａの径と、誘導管１１ｂの内径との大きさ関係は、噴射口２０ａの口径よりも噴出孔１１ａの径を大径とし、当該噴出孔１１の径よりも誘導管１１ｂの内径を大径とする大きさ関係である。
又、前記噴出孔１１ａは、噴出した液体４１が噴出孔１１ａを通過する際に、当該液体４１を噴出孔１１ａの縁や噴出孔１１ａ周りに接触させずに通過させる径であり、この径にすることによって、液体４１の接触による水流の乱れを防止し、空気の誘引及び気泡の発生を効率的に行えるようにしている。
【００１７】
尚、前記噴出孔板１１は、溶着や嵌合等の手段により筒状本体１２に対し気密に固定しても構わないが、噴出孔１１ａの孔径の変更や、噴出孔板１１の厚さの変更、筒状本体１２内のメンテナンス等を容易にするために、前記したような着脱可能な手段により固定されているのが好ましい。
また、ノズルアダプター１３内に液体噴射ノズル２０を固定する手段及びノズルアダプター１３を筒状本体１２に固定手段は、気体室１０内外の気密性を確保できれば螺着、嵌合、溶着等何れの手段を用いても構わない。
【００１８】
液体噴射ノズル２０は、その内部に先端側が縮径された噴射孔２０ａを有するノズルであり、後端側の吸気開口部に連設された液体供給配管２１から加圧された液体４１が供給され、噴射孔２０ａの先端から噴出孔板１１の噴出孔１１ａ内に向かって液体４１を噴射する。
【００１９】
前記液体供給配管２１の後端にはポンプ２２が設けられ、このポンプ２２は、水道や気泡４２ａを発生させる液中等から液体を吸引し、その液体を、液体供給配管２１を介して液体噴射ノズル２０に加圧送出する。
【００２０】
気体導入管３０は、筒状本体１２の周壁に貫通状に固定された導入部配管３１と、この導入部配管３１の後端に接続された延長配管３２とからなり、気体室１０内に気体を導入するように、気体室１０内と外気とを連通させている。
また、この気体導入管３０の延長配管３２後端部には、調整バルブ３３が設けられる。この調整バルブ３３は、気体室１０内に導入される気体４２の流量を調整することで、発生する気泡４２ａの量や大きさを調整可能にしている。
【００２１】
前記形態の微細気泡発生器Ａによれば、気体室１０内に気体４２が充満された状態で噴出孔１１ａを液中Ｌに臨ませ、液体噴射ノズル２０から液体４１を噴射して噴出孔１１ａに通過させれば、液体噴射ノズル２０から噴射された液体４１に気体室１０内の気体４２が誘引され、誘引された気体４２、及び誘引された気体４２と噴射された液体４１との混合流が噴出孔１１ａを通過して誘導管１１ｂを経て液中Ｌに噴出される。
その際、気体室１０内の空間Ｓは気体４２の噴出により負圧となるため、外部の気体４２が気体導入管３０によって気体室１０内に吸引される。
よって、噴出孔１１ａからの気体４２及び液体４１の噴出と、気体導入管３０による気体の吸引とが継続される。
【００２２】
又、気体４２と噴射された液体４１との混合流が噴出孔１１ａを通過して誘導管１１ｂ内に噴射される際、その噴射の勢いによって噴出孔１１ａの出口付近が負圧となって、噴出孔１１ａ方向に作用する水圧が実質的に減少するため、気体室１０内に誘引された気体４２が噴出孔１１ａから出やすい状態となる。
すなわち、噴出孔１１ａの出口付近に生じる負圧により、噴出孔１１ａ方向に作用する水圧の影響が低下するため、液体４１とともに噴出孔１１ａから噴出される気体４２の量が増加する。
更に、前記水圧の影響の低下により、噴出孔１１ａの径を拡げることが可能となるので、この噴出孔１１ａの径を拡げることによる気体４２の量の増加も可能である。
【００２３】
そして、液中Ｌに噴出された気体４２及び気体４２と液体４１の混合流は、液中Ｌの液粒子に衝突することで微細化され、多量の微細な気泡４２ａを発生する。また、気体４２及び気体４２と液体４１とが高速で液中Ｌに放出されるため、多量の微細な気泡４２ａは、広く拡散されるとともに、該気泡４２ａの一部は液中Ｌに溶解される。
【００２４】
又、前記構成の微細気泡発生器Ａは、噴出孔板１１が着脱可能な構造であるため、該噴出孔板１１の変更により、噴出孔１１ａの孔径を変更したり、噴出孔板１１の厚さ（即ち噴出孔１１ａの長さ）を変更したりすることが容易であり、これらの変更によって、気泡４２ａの発生量や大きさを調整することができる。
【００２５】
又、前記誘導管１１ｂの内径は、前記噴出孔１１ａの径の２〜３倍であり、誘導管１１ｂの全長は、当該誘導管１１ｂの内径の５倍である。
これは、誘導管１１ｂの内径が前記好ましい数値を超える内径である場合、噴出孔１１ａに作用する水圧が大きくなるため、誘導管１１ｂ内における液体４１と気体４２の流速が衰えて、噴出孔１１ａの出口付近に生じる負圧の力が不足し、誘導管１１ｂの内径が前記好ましい数値未満の内径である場合、誘導管１１ｂに噴出される液体４１と気体４２の圧力により誘導管１１ｂ内の水圧が上昇することで、噴出孔１１ａの出口付近に生じる負圧の力が不足して、いずれにしても気泡を効率的に発生させることができないという理由からである。
【００２６】
又、誘導管１１ｂの全長が前記好ましい数値を超える長さである場合、誘導管１１ｂ内における液体４１と気体４２の流速が衰えて、噴出孔１１ａの出口付近に生じる負圧の力が不足し、誘導管１１ｂの全長が前記好ましい数値未満の長さである場合、液体４１と気体４２を液中に至らせるまでの誘導距離が短く、噴出孔１１ａから噴出される液体４１と気体４２が短時間の内に液中Ｌに拡散するため、噴出孔１１ａの出口付近に負圧を発生させるための十分なスペースが確保ないことから、噴出孔１１ａの出口付近に生じる負圧の力が不足して、いずれにしても気泡を効率的に発生させることができないという理由からである。
【００２７】
したがって、本形態の微細気泡発生器Ａによれば、より効率的、且つ確実に微細気泡を発生させることができる。
又、気体４２の噴出量を増加できるということは、調整バルブ３３により、気体室１０内に導入される気体４２の流量を少なくし、気体室１０内の気圧を低下させることによって、生じる微細気泡の内圧を低くすることができ、液中Ｌに噴出させた際に液中Ｌの水圧でより微細な気泡を発生させることができる。
【００２８】
本形態の微細気泡発生器Ａでは、液中Ｌに誘導管１１ｂを介して液体４１と気体４２を噴出させて気泡４２ａを発生させる実験により、下記の事項を確認している。
（１）噴出孔１１ａから液体４１と気体４２が噴出した際に、噴出孔１１ａの出口付近が負圧となり、噴出孔１１ａに作用する水圧が減少する。
（２）液体噴射ノズル２０から噴出される液体４１の圧力が高くなるほど、気泡４２ａは微細化し大量化する。
（３）気体導入管３０後端の調整バルブ３３により気体室１０内に導入吸引される気体４２の流量を調整することで、発生する気泡４２ａの大きさを調整することができる。
すなわち、調整バルブ３３により気体４２の流量を少なくすれば気泡４２ａが微細化し、逆に気体４２の流量を多くすれば気泡４２ａが大きくなる。
（４）噴出孔１１ａが大きくなると、気体導入管３０から吸引導入される気体４２の流量が増えるとともに、発生する気泡４２ａが大きくなる。
（５）液体噴射ノズル２０先端から噴出孔板１１内面までの距離、即ち、液体噴射ノズル２０先端から噴出孔１１ａまでの距離が長くなるほど、気体導入管３０から吸引導入される気体４２の流量が増えるとともに、気泡４２ａが大きくなる。
（６）噴射先の水中が深層である場合等のように、噴射先の水圧が高いほど、気泡４２ａは微細化される。
【００２９】
なお、本発明は、例示した実施の形態に限定するものでは無く、特許請求の範囲の各項に記載された内容から逸脱しない範囲の構成による実施が可能である。
【図面の簡単な説明】
【００３０】
【図１】本発明に係る微細気泡発生器の一例を示す要部切欠側面図。
【図２】図１の正面図。
【符号の説明】
【００３１】
１０：気体室
１１：噴出孔板
１１ａ：噴出孔
１１ｂ：誘導管
２０：液体噴射ノズル
２０ａ：噴射口
３０：気体導入管
４１：液体
４２：気体
４２ａ：気泡
Ａ：微細気泡発生器
Ｓ：空間
【図１】
2007330939.tif 000003
【図２】
2007330939.tif 000004